(57)【要約】【課題】登記識別情報通知書等の公的書類を分類して整理する作業が極めて効率的であり、しかもパソコンで入力してプリンタで印字することが容易な書類整理用台紙を提供することにある。【解決手段】３つ折りの基材シートの片方の基材シートをその内側の基材シートに重なるよう折畳み、前記片方の基材シートの底部を貼り合わせて収納部を形成するとともに、当該収納部に登記識別情報通知書等の公的書類を収納した状態でその要部が確認できるよう構成したことを特徴とする書類整理用台紙。【選択図】  図４
0003117217.tif 000002
【実用新案登録請求の範囲】
【請求項１】
３つ折りの基材シートの片方の基材シートをその内側の基材シートに重なるよう折畳み、前記片方の基材シートの底部を貼り合わせて収納部を形成するとともに、当該収納部に登記識別情報通知書等の公的書類を収納した状態でその要部が確認できるよう構成したことを特徴とする書類整理用台紙。
【請求項２】
４つ折りの基材シートのそれぞれ側方の基材シートをその内側の基材シートに重なるよう折畳み、一方の側方の基材シートの底部を貼り合わせて収納部を形成するとともに、当該収納部に登記識別情報通知書等の公的書類を収納した状態でその要部が確認できるよう構成し、他方の側方の基材シートには適宜位置に収納ポケットを形成して、雑書類を収納できるようにしたことを特徴とする書類整理用台紙。
【請求項３】
前記収納部が、片方の基材シートの底部のみならず、頂部をも貼り合わせて形成されていることを特徴とする請求項１または２に記載の書類整理用台紙。
【請求項４】
前記収納ポケットが、基材シートに設けた切込み、基材シートに収納口を設けて貼付した紙シートや透明プラスチックフィルム等から選ばれたことを特徴とする請求項２に記載の書類整理用台紙。
【考案の詳細な説明】
【技術分野】
【０００１】
この考案は書類整理用台紙に係り、さらに詳しくは、登記識別情報通知書等の公的書類を分類して整理するのに好適な書類整理用台紙に関する。
【背景技術】
【０００２】
従来から名刺等のカード類の整理、保存に適した綴じ込み可能な台紙が知られている。この種の台紙としては、例えば、実公平３−４７９０２号公報（特許文献１参照）等に示されるように、基シートの面に透明なフィルムを重合し、所定箇所に切り込み部と溶着部を設けることによってカード類を収納することのできるポケットを備えたものが存在する。
【０００３】
しかしながら、実公平３−４７９０２号公報（特許文献１参照）に示されたカード類を収納することのできるポケットは透明フィルムからなるものであり、所定箇所に切り込み部と溶着部を設けたものであるため、製作に手間がかかりコストが高いという不都合があった。また従来構造では、カード類の出し入れを注意深く行わないと、カード類がポケットの出し入れ口を形成する切り込み部の端に引っ掛かる場合が多く、これによって、ポケットが切り込み部の端から破断するという不都合もあった。
【０００４】
そこで本件出願人は、先に実用新案登録第３１１１２２１号公報（特許文献２参照）において、少なくとも３つ折りの基材シートの片方の基材シートを中央の基材シートに重なるよう折畳み、その底部を貼り合わせて収納部を形成するとともに、上記片方の基材シートに登記識別情報通知書等の公的書類を収納した状態でその要部が確認できる窓を設け、中央の基材シートを挟んで反対側の基材シートには適宜位置に収納ポケットを形成して、雑書類を収納できるようにしたことを特徴とする書類整理用台紙を提案した。
【特許文献１】実公平３−４７９０２号公報
【特許文献２】実用新案登録第３１１１２２１号公報
【考案の開示】
【考案が解決しようとする課題】
【０００５】
ところが、実用新案登録第３１１１２２１号公報（特許文献２参照）に示された書類整理用台紙は所定の記載項目を移入する際に、パソコンで入力してプリンタで印字する際に、うまくプリンタにかからないという不都合があった。
【０００６】
この考案は、かかる従来例の不都合を改善するために案出されたものであり、その目的は登記識別情報通知書等の公的書類を分類して整理する作業が極めて効率的であり、しかもパソコンで入力してプリンタで印字することが容易な書類整理用台紙を提供することにある。
【課題を解決するための手段】
【０００７】
前記目的を達成するためこの考案の書類整理用台紙は、３つ折りの基材シートの片方の基材シートをその内側の基材シートに重なるよう折畳み、前記片方の基材シートの底部を貼り合わせて収納部を形成するとともに、当該収納部に登記識別情報通知書等の公的書類を収納した状態でその要部が確認できるよう構成したことを特徴とするものである。
【０００８】
この考案の書類整理用台紙はまた、４つ折りの基材シートのそれぞれ側方の基材シートをその内側の基材シートに重なるよう折畳み、一方の側方の基材シートの底部を貼り合わせて収納部を形成するとともに、当該収納部に登記識別情報通知書等の公的書類を収納した状態でその要部が確認できるよう構成し、他方の側方の基材シートには適宜位置に収納ポケットを形成して、雑書類を収納できるようにしたことをも特徴とするものである。
【０００９】
この考案の書類整理用台紙は、前記収納部が、片方の基材シートの底部のみならず、頂部をも貼り合わせて形成されていることをも特徴とするものである。
【００１０】
この考案の書類整理用台紙は、前記収納ポケットが、基材シートに設けた切込み、基材シートに収納口を設けて貼付した紙シートや透明プラスチックフィルム等から選ばれたことをも特徴とするものである。
【考案の効果】
【００１１】
従来構造では、書類等の出し入れを注意深く行わないと、書類等がポケットの出し入れ口を形成する切り込み部の端に引っ掛かる場合が多く、これによって、ポケットが切り込み部の端から破断するという不都合があった。
【００１２】
しかしながらこの考案においてはかかる従来例の不都合がなく、登記識別情報通知書等の公的書類を効率よく分類して整理する作業が極めて容易で、しかも所定の記載項目を移入する際に、パソコンで入力してプリンタで簡単に印字することが可能な書類整理用台紙を提供することができるようになった。
またこの構成においては、構造が簡単なので低コストで製作することができる。
【考案を実施するための最良の形態】
【００１３】
以下、この考案に係る書類整理用台紙の実施の形態を、図面を参照しながら詳細に説明する。
図１は書類整理用台紙の１実施例を示す正面図、図２はその展開状態の正面図、図３はその断面図、図４は使用状態を示す展開状態の正面図、図５は書類整理用台紙の他の実施例を示す展開状態の正面図、図６はその断面図、図７は使用状態を示す展開状態の正面図である。
図１ないし図４において、書類整理用台紙１０は樹脂若しくは紙によってたわむことができる程度の長方形の基材シート１１からなっている。
【００１４】
図２ないし図４において、この基材シート１１は両側端部から中央に向けてそれぞれ二つ折りとし、それを中央で折り畳んで最終的に４つ折りにすることができるようになっている。
先ず、上記基材シート１１は、左側の基材シート１１−１を中央左の基材シート１１−２に重ねるよう折畳み、その底部を貼り合わせて収納部１２を形成している。この収納部１２には、登記識別情報通知書等の公的書類１３を収納する。その際、上記左側の基材シート１１−１で構成された収納部１２は、登記識別情報通知書等の公的書類１３を収納した状態でその要部が確認できる高さに形成されている。
この高さは、登記識別情報通知書等の公的書類１３の要部と対応させることにより適宜決定することができる。
【００１５】
次に、上記左側の基材シート１１−１および中央左の基材シート１１−２の反対側には、さらに一対の中央右の基材シート１１−３および右側の基材シート１１−４が設けられている。そして中央右の基材シート１１−３には、適宜位置に収納ポケット１５を形成して雑書類１６を収納できるようにしてある。
なお、上記収納ポケット１５としては、上記基材シート１１−３に設けた切込み、基材シート１１−３に収納口を設けて貼付した紙シートや透明プラスチックフィルム等から適宜選ぶことができる。
【００１６】
上記書類整理用台紙１０の使用に際しては、図３および図４に示すように、予め左側の基材シート１１−１と中央左の基材シート１１−２を折畳み、その底部を貼り合わせて形成した収納部１２に登記識別情報通知書等の公的書類１３を両者の開口部分から差し込んで収納する。その際上記左側の基材シート１１−１に設けた窓１４から、登記識別情報通知書等の公的書類１３の要部を確認することができる。
【００１７】
図1に示すように、基材シート１１の表紙面には「登記識別情報通知書（登記済証明書）」の表題部１７や、所有者の住所および／または氏名の記入欄１８等をもうけることができ、これらの表題部１７や記入欄１８等はパソコンで入力してプリンタで印字したり、貼付あるいは印刷、複写等の手段によって形成することができる。
【００１８】
上記基材シート１１−１，１１−２の底部を貼り合わせる手段としては、接着剤や両面粘着テープ、ヒートシール等の適宜手段を採用することが可能である。
【００１９】
図５ないし図７において、書類整理用台紙２０は３つ折りの基材シート２１からなり、その片方の基材シート２１をその内側の基材シート２１に重なるよう折畳んで貼り合わせることにより収納部２２を形成し、最終的に２つ折りにすることができるようになっている。
先ず、上記基材シート２１は、左側の基材シート２１−１を中央の基材シート２１−２に重ねるよう折畳み、その底部のみならず頂部をも貼り合わせて収納部２２を形成している。２２−３は右側の基材シートである。
前記収納部２２には、登記識別情報通知書等の公的書類２３を収納する。その際、上記左側の基材シート２１−１で構成された収納部２２の本体部分２２−１は、登記識別情報通知書等の公的書類２３を収納した状態でその要部が確認できる高さに形成されている。
この高さは、登記識別情報通知書等の公的書類２３の要部と対応させることにより適宜決定することができる。
【００２０】
また収納部２２の本体部分２２−１をその片側から上部に立ち上げ、さらに水平方向に延長して頂部２２−２を中央の基材シート２１−２に貼り合せている。したがって、収納部２２に収納した登記識別情報通知書等の公的書類２３は、書類整理用台紙２０全体を逆さにしても簡単に抜け落ちることがない。
もちろん、収納部２２に収納した登記識別情報通知書等の公的書類２３を引抜くには、図７のように右側の基材シート２２−３を開いた展開状態で公的書類２３を右側に向けて水平に引抜けばよい。
【００２１】
上記書類整理用台紙２０の使用に際しては、図５ないし図７に示すように、予め左側の基材シート２１−１と中央左の基材シート２１−２を折畳み、その底部のみならず頂部を貼り合わせて形成した収納部２２に登記識別情報通知書等の公的書類２３を右側から左側方向に向けて水平に差し込んで収納する。その際上記左側の基材シート２１−１に設けた収納部２２の上部において、登記識別情報通知書等の公的書類２３の要部を確認することができる。
【産業上の利用可能性】
【００２２】
この考案の書類整理用台紙は、登記識別情報通知書等の公的書類を分類して整理するのに好適であることはもちろん、他の書類やカード、写真等を収納するために使用することができる。
【図面の簡単な説明】
【００２３】
【図１】書類整理用台紙の１実施例を示す正面図である。
【図２】その展開状態の正面図である。
【図３】その断面図である。
【図４】使用状態を示す展開状態の正面図である。
【図５】書類整理用台紙の他の実施例を示す展開状態の正面図である。
【図６】その断面図である。
【図７】使用状態を示す展開状態の正面図である。
【符号の説明】
【００２４】
１０  書類整理用台紙
１１，１１−１，１１−２，１１−３，１１−４  基材シート
１２  収納部
１３  公的書類
１５  収納ポケット
１６  雑書類
１７  表題部
１８  記入欄
２０  書類整理用台紙
２１，２１−１，２１−２，２１−３  基材シート
２２  収納部
２３  公的書類
【図１】
0003117217.tif 000003
【図２】
0003117217.tif 000004
【図３】
0003117217.tif 000005
【図４】
0003117217.tif 000006
【図５】
0003117217.tif 000007
【図６】
0003117217.tif 000008
【図７】
0003117217.tif 000009